(57)【要約】【課題】メインフィルターを本体に装着した状態で掃除が容易にでき、効率を下げず空気清浄機能を保ち、メンテナンス性の良い空気清浄機を提供することを目的とする。【解決手段】本体３内の通風路４にメインフィルター６および送風装置７を設け、メインフィルター６を格子形状に形成し、メインフィルター６の上流側に移動可能な掃除手段１４を設け、掃除手段１４をメインフィルター６の格子目１２内に挿入して埃を掻き出すことのできるブラシ１３により形成し、ブラシ１３に近接した埃受け部１５をブラシ１３と略一体に移動可能に設け、本体３内に装着した状態でメインフィルター６に付着した埃を掃除手段１４で掃除し、効率の良い空気清浄が可能でメンテナンス性の良い空気清浄機が得られる。【選択図】図１
2007167777.tif 000002
【特許請求の範囲】
【請求項１】
吸気口と吹出口を有した本体と、この本体に設けた吸気口と吹出口を連通する通風路と、この通風路に設けられるプリフィルターとメインフィルターおよび送風装置とを備え、前記プリフィルターを前記吸気口に設け、前記メインフィルターの上流側に移動可能な掃除手段を設けた空気清浄機。
【請求項２】
メインフィルターを格子形状またはハニカム形状に形成し、掃除手段を前記メインフィルターの格子目またはハニカム目内に挿入して埃を掻き出すことのできるブラシにより形成した請求項１記載の空気清浄機。
【請求項３】
掃除手段はブラシに近接して埃を集める埃受け部を有し、前記埃受け部を前記ブラシと略一体に移動可能に設けた請求項１または２記載の空気清浄機。
【請求項４】
メインフィルターを電気式集塵フィルターにより形成し、前記電気式集塵フィルター内の上流側に強電界部を設けた請求項１〜３のいずれかに記載の空気清浄機。
【請求項５】
掃除手段をメインフィルター表面に沿って移動させる移動手段により移動可能に設け、前記移動手段は、前記掃除手段に設けたつまみと、前記掃除手段を移動可能に支持する移動ガイド部とを備え、前記つまみの操作により、前記掃除手段を移動可能とした請求項１〜４のいずれかに記載の空気清浄機。
【請求項６】
空気清浄機の運転が終了したとき、または自動運転中の待機状態のときのみに、掃除手段を移動可能とするロック手段を設けた請求項１〜５のいずれかに記載の空気清浄機。
【請求項７】
ブラシに静電気を付与する第１の帯電手段を設け、メインフィルターに捕集された埃に帯電した電荷とは逆電荷を前記ブラシに帯電可能に設け、前記ブラシを逆電位に帯電させることで、掃除手段の移動時にメインフィルターで集塵した埃を静電気で電気ブラシに引き付ける構成とした請求項１〜６のいずれかに記載の空気清浄機。
【請求項８】
メインフィルター下部に埃分離手段を設け、ブラシが最下端から上方向に移動するときのみ前記埃分離手段に接触可能とした請求項１〜７のいずれかに記載の空気清浄機。
【請求項９】
埃受け部を、外部埃受け部に内部埃受け部を収納した２重構造に形成し、前記内部埃受け部を着脱可能に設けた請求項３記載の空気清浄機。
【請求項１０】
本体に埃受け部と連通するノズルを設け、前記ノズルを介して埃受け部に堆積した埃を吸引可能とした請求項３または９記載の空気清浄機。
【請求項１１】
メインフィルターの端部に埃分離手段を設け、前記埃分離手段に第２の帯電手段を接続し、ブラシを前記埃分離手段に近接または当接したとき、前記ブラシに付着した埃を分離して前記埃分離手段を移し変え、さらに電荷の開放または、アースにより静電吸引力をなくして埃受け部に落下させる構成とした請求項７または８記載の空気清浄機。
【請求項１２】
メインフィルター内の上流部において、各集塵板間のスペーサ部を削除した平行板部を形成し、ブラシを前記平行板部間に挿入した状態で移動可能に設けた請求項１〜４のいずれかに記載の空気清浄機。
【発明の詳細な説明】
【技術分野】
【０００１】
本発明は、メインフィルターを本体に装着した状態でメインフィルターの掃除が可能な空気清浄機に関する。
【背景技術】
【０００２】
従来、この種の空気清浄機の一例として、エアーフィルターに付着した塵埃を自動的に除去するフィルター装置が知られている（例えば、特許文献１参照）。
【０００３】
以下、そのフィルター装置について図１６および図１７を参照しながら説明する。
【０００４】
図に示すように、フィルター装置は、空気調和機の熱交換器（図示せず）等に流入する空気に含まれる塵埃を除去するエアーフィルター１０１と、フィルター枠１０２に支持固定され、エアーフィルター１０１の表面に沿って移動可能な吸引ノズル１０３にダクト１０４ａを介して連結される吸引装置１０４から構成され、エアーフィルター１０１は熱交換器の形状に沿って３面以上の平面で形成されるとともに、吸引ノズル１０３はフィルター枠１０２の上下端に設置されたガイドレール１０５によりエアーフィルター１０１の上流側表面と極めて狭い間隔を保って円滑に左右に移動するように設けられている。
【０００５】
また、この種の空気清浄機として、プレフィルターの表面に付着した埃を除去するフィルターのクリーニング装置が知られている（例えば、特許文献２参照）。
【０００６】
以下、そのフィルターのクリーニング装置について図１８および図１９を参照しながら説明する。
【０００７】
図に示すように、プリフィルターからなるフィルター１０６の表面に付着した不用物質に接触して物理的に剥ぎ取る清掃部材１０７と、清掃部材１０７をフィルター１０６の表面に接触を保たせたままフィルター１０６の一辺から、これに対向する一辺にかけて移動させる送り手段１０８を設け、送り手段１０８として、フィルター１０６の両横における一方に送りねじ棒１０９を設け、他方にガイド棒１１０を配置し、清掃部材１０７を駆動するねじ従動部材１１１を設け、送りねじ棒１０９を駆動して清掃部材１０７を移動するようにしている。
【特許文献１】特開２００５−３０８２７５号公報（［００１７］、図１、図２）
【特許文献２】特開２００１−２３９１１５号公報（［００２９］〜［００３２］、図２、図５）
【発明の開示】
【発明が解決しようとする課題】
【０００８】
このような従来のフィルター装置では、吸引装置１０４やダクト１０４ａを設けているため、部品点数が多くなり移動する部品も多くなるとともに、吸引装置１０４で集めた埃を室内で処理する場合は、設置場所が高いエアコンでは取扱いが不便であるという課題があり、部品構造を簡単にするとともに、集めた埃の後処理を容易にできることが要求されている。
【０００９】
また、フィルタークリーニング装置では、プリフィルターからなるフィルター１０６の表面に付着した埃を清掃部１０７を移動して除去するもので、フィルター１０６内部の集塵フィルター１１２を清掃することについては何ら考慮されていないという課題があり、奥行き寸法の大きな集塵フィルター１１２に付着した埃を容易に除去できるようにすることが要求されている。
【００１０】
本発明は、このような従来の課題を解決するものであり、奥行き寸法の大きなメインフィルターの掃除が本体に装着した状態で容易にでき、効率の良い空気清浄が可能でメンテナンス性の良い空気清浄機を提供することを目的としている。
【課題を解決するための手段】
【００１１】
本発明の空気清浄機は上記目的を達成するために、吸気口と吹出口を有した本体と、この本体に設けた吸気口と吹出口を連通する通風路と、この通風路に設けられるプリフィルターとメインフィルターおよび送風装置とを備え、前記プリフィルターを前記吸気口に設け、前記メインフィルターの上流側に移動可能な掃除手段と設けたものである。
【００１２】
この手段により、メンテナンス性の良い空気清浄機が得られる。
【００１３】
また、他の手段は、メインフィルターを格子形状またはハニカム形状に形成し、掃除手段を前記メインフィルターの格子目またはハニカム目内に挿入して埃を掻き出すことのできるブラシにより形成したものである。
【００１４】
この手段により、風量を確保して運転できる空気清浄機が得られる。
【００１５】
また、他の手段は、掃除手段はブラシに近接して埃を集める埃受け部を有し、前記埃受け部を前記ブラシと略一体に移動可能に設けたものである。
【００１６】
この手段により、メインフィルターの周辺を汚さずに掃除ができる空気清浄機が得られる。
【００１７】
また、他の手段は、メインフィルターを電気式集塵フィルターにより形成し、前記電気式集塵フィルター内の上流側に強電界部を設けたものである。
【００１８】
この手段により、埃をブラシで効率的に掻き出すことができる空気清浄機が得られる。
【００１９】
また、他の手段は、掃除手段をメインフィルター表面に沿って移動させる移動手段により形成し、前記移動手段は、前記掃除手段に設けたつまみと、前記掃除手段を移動可能に支持する移動ガイド部とを備え、前記つまみの操作により、前記掃除手段を移動可能としたものである。
【００２０】
この手段により、掃除が楽に出来る空気清浄機が得られる。
【００２１】
また、他の手段は、空気清浄機の運転が終了したとき、または自動運転中の待機状態のときのみに、掃除手段を移動可能とするロック手段を設けたものである。
【００２２】
この手段により、安全で衛生的に使用ができる空気清浄機が得られる。
【００２３】
また、他の手段は、ブラシに静電気を付与する第１の帯電手段を設け、メインフィルターに捕集された埃に帯電した電荷とは逆電荷を前記ブラシに帯電可能に設け、前記ブラシを逆電位に帯電させることで掃除手段の移動時にメインフィルターで集塵した埃を静電気で電気ブラシに引き付ける構成としたものである。
【００２４】
この手段により、埃を、逆電位の静電気により引き寄せてブラシに移すことができる空気清浄機が得られる。
【００２５】
また、他の手段は、メインフィルター下部に埃分離手段を設け、ブラシが最下端から上方向に移動するときのみ前記埃分離手段に接触可能としたものである。
【００２６】
この手段により、埃を上方に撒きちらすことなく掻き落とすことができる空気清浄機が得られる。
【００２７】
また、他の手段は、埃受け部を、外部埃受け部に内部埃受け部を収納した２重構造に形成し、前記内部埃受け部を着脱可能に設けたものである。
【００２８】
この手段により、取り扱いを容易にすることができる空気清浄機が得られる。
【００２９】
また、他の手段は、本体に埃受け部と連通するノズルを設け、前記ノズルを介して埃受け部に堆積した埃を吸引可能としたものである。
【００３０】
この手段により、埃受け部内の埃を掃除機で吸引して容易に取り除くことができる空気清浄機が得られる。
【００３１】
また、他の手段は、メインフィルターの端部に埃分離手段を設け、前記埃分離手段に第２の帯電手段を接続し、ブラシを前記埃分離手段に近接または当接したとき、前記ブラシに付着した埃を分離して前記埃分離手段を移し変え、さらに電荷の開放またはアースにより静電吸引力をなくして埃受け部に落下させる構成としたものである。
【００３２】
この手段により、効率良く埃受け部に埃を収納することができる空気清浄機が得られる。
【００３３】
また、他の手段は、メインフィルター内の上流部において、各集塵板間のスペーサ部を削除した平行板部を形成し、ブラシを前記平行板部間に挿入した状態で移動可能に設けたものである。
【００３４】
この手段により、効率良く埃を払い落とすことができる空気清浄機が得られる。
【発明の効果】
【００３５】
本発明によればメインフィルターのメンテナンス性が良いという効果のある空気清浄機を提供できる。
【００３６】
また、風量を確保して運転できるという効果のある空気清浄機を提供できる。
【００３７】
また、メインフィルターの周辺を汚さずに掃除ができるという効果のある空気清浄機を提供できる。
【００３８】
また、埃をブラシで効率的に掻き出すことができるという効果のある空気清浄機を提供できる。
【００３９】
また、掃除が楽にできるという効果のある空気清浄機を提供できる。
【００４０】
また、安全で衛生的に使用ができるという効果のある空気清浄機が得られる。
【００４１】
また、埃を逆電位の静電気により引き寄せてブラシに移すことができるという効果のある空気清浄機を提供できる。
【００４２】
また、埃を上方に撒きちらすことなく掻き落とすことができるという効果のある空気清浄機を提供できる。
【００４３】
また、取り扱いを容易にすることができるという効果のある空気清浄機を提供できる。
【００４４】
また、掃除機で吸引して容易に埃を取り除くことができるという効果のある空気清浄機を提供できる。
【００４５】
また、効率良く埃受け部に埃を収納することができるという効果のある空気清浄機を提供できる。
【００４６】
また、効率良く埃を払い落とすことができるという効果のある空気清浄機を提供できる。
【発明を実施するための最良の形態】
【００４７】
本発明の請求項１記載の発明は、吸気口と吹出口を有した本体と、この本体に設けた吸気口と吹出口を連通する通風路と、この通風路に設けられるプリフィルターとメインフィルターおよび送風装置とを備え、前記プリフィルターを前記吸気口に設け、前記メインフィルターの上流側に移動可能な掃除手段を設けたものであり、メインフィルターを本体内に装着した状態で埃を掃除できることにより、メインフィルターを着脱する煩雑な作業をする必要がなくお手入れができるとともに、メインフィルターの目詰まりがない状態で効率の良い空気清浄運転が可能であり、さらにメインフィルターの寿命も延びるので、メインフィルターの交換の頻度を減らしてメンテナンスが楽にできるという作用を有する。
【００４８】
また、請求項２記載の発明は、メインフィルターを格子形状またはハニカム形状に形成し、掃除手段を前記メインフィルターの格子目またはハニカム目内に挿入して埃を掻き出すことのできるブラシにより形成したものであり、メインフィルターが立体構造であっても、奥行き方向に平面を有する単純なフィルター構造とすることにより、内部に堆積した埃をブラシで掻き出しやすくして、メインフィルター内の目詰まりを防ぎ、空気抵抗を少なく風量を確保して運転できるという作用を有する。
【００４９】
また、請求項３記載の発明は、掃除手段はブラシに近接して埃を集める埃受け部を有し、前記埃受け部を前記ブラシと略一体に移動可能に設けたものであり、ブラシで掻き出した埃を即座に埃受け部に取り込むことにより、埃が飛散せずメインフィルターの周辺を汚さずに掃除ができるという作用を有する。
【００５０】
また、請求項４記載の発明は、メインフィルターを電気式集塵フィルターにより形成し、前記電気式集塵フィルター内の上流側に強電界部を設けたものであり、電気式集塵フィルターの上流側に集中的に埃を付着させることにより、埃が多く吸着している上流側をブラシで効率的に掻き出すことができるという作用を有する。
【００５１】
また、請求項５記載の発明は、掃除手段をメインフィルター表面に沿って移動させる移動手段により形成し、前記移動手段は、前記掃除手段に設けたつまみと、前記掃除手段を移動可能に支持する移動ガイド部とを備え、前記つまみの操作により、前記掃除手段を移動可能としたものであり、本体内にあるメインフィルター上を掃除手段のつまみを持って移動して掃除することにより、メインフィルターを取り出したり、触れたりすることなく掃除が楽にできるという作用を有する。
【００５２】
また、請求項６記載の発明は、空気清浄機の運転が終了したとき、または自動運転中の待機状態のときのみに、掃除手段を移動可能とするロック手段を設けたものであり、空気清浄機が運転中のときは、ロック手段により掃除手段を動かないように固定することで、運転中の不安定な使用を防止するとともに、捕集した埃の再飛散を防ぎ、安全で衛生的な使用ができるという作用を有する。
【００５３】
また、請求項７記載の発明は、ブラシに静電気を付与する第１の帯電手段を設け、メインフィルターに捕集された埃に帯電した電荷とは逆電荷を前記ブラシに帯電可能に設け、前記ブラシを逆電位に帯電させることで、掃除手段の移動時にメインフィルターで集塵した埃を静電気で電気ブラシに引き付ける構成としたものであり、ブラシが当接する部分だけでなく、ブラシから離れた奥の部分に付着した埃を、逆電位の静電気により引き寄せてブラシに移すことができるという作用を有する。
【００５４】
また、請求項８記載の発明は、メインフィルター下部に埃分離手段を設け、ブラシが最下端から上方向に移動するときのみ前記埃分離手段に接触可能としたものであり、ブラシが下方向に移動するときは、ブラシは埃分離手段とは接触せず下降し、上方向に移動するときには、ブラシが埃分離手段に当接することにより、埃を上方に撒きちらすことなく掻き落とすことができるという作用を有する。
【００５５】
また、請求項９記載の発明は、埃受け部を、外部埃受け部に内部埃受け部を収納した２重構造に形成し、前記内部埃受け部を着脱可能に設けたものであり、埃を捕集するときや、内部埃受け部を取り出して堆積した埃を捨てるときに、細かな埃の飛散を防ぎ、取り扱いを容易にすることができるという作用を有する。
【００５６】
また、請求項１０記載の発明は、本体に埃受け部と連通するノズルを設け、前記ノズルを介して埃受け部に堆積した埃を吸引可能としたものであり、埃受け部に堆積した埃を捨てる作業として、埃受け部を分離することなく本体に設けたノズルに掃除機のパイプを差し込むことで、埃受け部内の埃を掃除機で吸引して取り除くことができるという作用を有する。
【００５７】
また、請求項１１記載の発明は、メインフィルターの端部に埃分離手段を設け、前記埃分離手段に第２の帯電手段を接続し、ブラシを前記埃分離手段に近接または当接したとき、前記ブラシに付着した埃を分離して前記埃分離手段を移し変え、さらに電荷の開放またはアースにより静電吸引力をなくして埃受け部に落下させる構成としたものであり、ブラシに付着した埃を、静電気の吸引力で分離して移動することにより、効率良く埃受け部に収納することができるという作用を有する。
【００５８】
また、請求項１２記載の発明は、メインフィルター内の上流部において、各集塵板間のスペーサ部を削除した平行板部を形成し、ブラシを前記平行板部間に挿入した状態で移動可能に設けたものであり、平行板部に埃を集中的に堆積させ、かつ平行板部に深く挿入したブラシが滑らかに接触して埃を掻き出すことにより、効率良く埃を払い落とすことができるという作用を有する。
【００５９】
以下、本発明の実施の形態について図面を参照しながら説明する。
【００６０】
（実施の形態１）
図１〜図７に示すように、本体３の表面に吸気口１と吹出口２を設け、本体３内部に吸気口１と吹出口２を連通する通風路４と、通風路４に設けられるプリフィルター５とメインフィルター６および送風装置７とを備え、プリフィルター５は吸気口１の背面に設けている。メインフィルター６を格子形状またはハニカム形状とした電気式集塵フィルター８により形成し、電気式集塵フィルター８内の上流側に強電界部９を設け、電気式集塵フィルター８よりなるメインフィルター６はフィルター枠１０内に収納し、本体３の通風路４に装着できるように形成し、メインフィルター６の風下側には脱臭フィルター１１を設けている。
【００６１】
そして、メインフィルター６の上流側にメインフィルター６の格子目１２またはハニカム目（図示せず）に挿入して埃を掻き出すことのできるブラシ１３により形成される掃除手段１４を設ける。
【００６２】
掃除手段１４にはブラシ１３に近接し埃を集める埃受け部１５をブラシ１３と略一体に設け、移動手段１６により移動可能に設ける。移動手段１６は、掃除手段１４に設けたつまみ１７と、掃除手段１４を移動可能に支持する移動ガイド部１８により形成し、つまみ１７の操作により掃除手段１４を移動可能に設ける。
【００６３】
また、空気清浄機の運転が終了したとき、または自動運転中の待機状態のときのみに、掃除手段１４を移動可能とするロック手段１９を設け、ロック手段１９としては、掃除手段１４に磁石２０を設け、磁石２０を吸着する電磁コイル２１を磁石２０に対向する固定側位置となる本体３に配設し、掃除手段１４が最下降位置でロックされるように構成する。
【００６４】
上記構成において、空気清浄機を運転すると、送風装置７が駆動し室内の汚染空気が吸気口１より本体３内の通風路４に吸気される。このとき吸気口１に設けたプリフィルター５により大きな埃が除去され、さらに通風路４に設けた電気集塵フィルター８からなるメインフィルター６に微細な埃が捕集され、清浄化された空気が吹出口２より室内に送られ室内空気の清浄化が行われる。
【００６５】
そして、メインフィルター６に付着した埃を除去するときには、掃除手段１４に設けたつまみ１７を操作し、移動手段１６の移動ガイド部１８に沿わせて掃除手段１４を上方に移動し、掃除手段１４に設けたブラシ１３により埃を埃受け部１５内に掻き落としてメインフィルター６に付着した埃を除去し、メインフィルター６の仕事ができるようにする。
【００６６】
このように実施の形態１の発明によれば、吸気口１と吹出口２を有した本体３と、本体３に設けた吸気口１と吹出口２を連通する通風路４と、通風路４に設けられるプリフィルター５とメインフィルター６および送風装置７とを備え、プリフィルター５を吸気口１に設け、メインフィルター６の上流側に移動可能な掃除手段１４を設けたので、メインフィルター６を本体３内に装着した状態で埃を掃除できることにより、メインフィルター６の着脱の煩雑な作業をすることなく手入れができるとともに、メインフィルター６の目詰まりがない状態で効率の良い空気清浄運転が可能であり、メインフィルター６の寿命も延びるので、メインフィルター６の交換の頻度を減らしたメンテナンス性の良い空気清浄機を得ることができることとなる。
【００６７】
また、メインフィルター６を格子形状またはハニカム形状に形成し、掃除手段１４を、メインフィルターの格子目１２またはハニカム目内に挿入して埃を掻き出すことのできるブラシ１３により形成したので、メインフィルター６が立体構造であっても、奥行き方向に平面を有する単純な構造とすることにより、内部に堆積した埃をブラシ１３で掻き出し易くして、メインフィルター６内の目詰まりを防ぎ、空気抵抗が少なく、風量を確保して運転できる空気清浄機を得ることができることとなる。
【００６８】
また、掃除手段１４を、ブラシ１３に近接して埃を集める埃受け部１５を設け、埃受け部１５をブラシ１３と略一体に移動可能に設けたので、ブラシ１３で掻き出した埃を即座に埃受け部１５に取り込むことができることにより、埃の飛散するのが防止され、メインフィルター６の周辺を汚さずに掃除ができる空気清浄機を得ることができることとなる。
【００６９】
また、メインフィルター６を電気式集塵フィルター８により形成し、電気式集塵フィルター８内の上流側に強電界部９を設けたので、電気式集塵フィルター８の上流側に集中的に埃を付着させることができ、埃が多く吸着している上流側をブラシ１３で効率的に掻き出すことができる空気清浄機を得ることができることとなる。
【００７０】
また、掃除手段１４を、メインフィルター６表面に沿って移動させる移動手段１６により移動可能に設け、移動手段１６は、掃除手段１４に設けたつまみ１７と、掃除手段１４を移動可能に支持する移動ガイド部１８とを備え、つまみ１７の操作により、掃除手段１４を移動可能としたので、本体３内にあるメインフィルター６上を、掃除手段１４のつまみ１７を持って移動して掃除することにより、メインフィルター６を取り出したり触れたりすることなく、掃除が楽にできる空気清浄機を得ることができることとなる。
【００７１】
また、空気清浄機の運転が終了したとき、または自動運転中の待機状態のときのみに、掃除手段１４を移動可能とするロック手段１９を設けたので空気清浄機が運転中のときは、ロック手段１８の電磁コイル２１に通電され掃除手段１４に設けた磁石２０が電磁コイル２１に吸着され、ロック手段１８により掃除手段１４がロックされることで、運転中の不安定な使用を防止するとともに、捕集した埃の再飛散を防ぎ衛生的な使用ができる空気清浄機を得ることができることとなる。
【００７２】
（実施の形態２）
図８に示すように、ブラシ１３Ａに静電気を付与して電気ブラシ２２を形成する第１の帯電手段２３を設け、メインフィルター６Ａに捕集された埃に帯電した電荷とは逆電荷をブラシ１３Ａに帯電可能に設け、ブラシ１３Ａを逆電位に帯電させることで、掃除手段１４Ａの移動時にメインフィルター６Ａで集塵した埃を静電気で電気ブラシ２２に引き付ける構成とする。
【００７３】
上記構成において、電気ブラシ２２が当接するメインフィルター６の一部分だけでなく、電気ブラシ２２から離れたメインフィルター６Ａの奥の部分に付着した埃まで、逆電位の静電気により引き寄せて電気ブラシ２２に移すことができる空気清浄機を得ることができることとなる。
【００７４】
（実施の形態３）
図９および図１０に示すように、メインフィルター６Ｂの下部に埃分離手段２４を設け、ブラシ１３Ｂが最下端から上方向に移動するときのみ埃分離手段２４に接触可能に構成する。
【００７５】
上記構成においては、ブラシ１３Ｂが下方向に移動するときはブラシ１３Ｂは埃分離手段２４に接触することなく下降し、上方向に移動するときにはブラシ１３Ｂが埃分離手段２４に当接することにより、埃を上方に撒きちらすことなく掻き落とすことができる空気清浄機を得ることができることとなる。
【００７６】
（実施の形態４）
図１１に示すように、埃受け部１５Ａを外部埃受け部２５に内部埃受け部２６を収納した２重構造に形成し、内部埃受け部２６を着脱可能に設け構成する。
【００７７】
上記構成においては、埃を捕集するときや、内部埃受け部２６を外部埃受け部２５より取り出して堆積した埃を捨てるときに、外部埃受け部２５があることにより、飛散しようとする埃が受け止められ、細かな埃の飛散するのが防止されることとなり、埃を捨てるときの取扱いを容易にすることができる空気清浄機を得ることができることとなる。
【００７８】
（実施の形態５）
図１２に示すように、本体３Ａに埃受け部１５Ｂと連通するノズル２７を設け、ノズル２７にはバネにより押圧されて閉鎖している開閉蓋（図示せず）を設け、ノズル２７を介して埃受け部１５Ｂに堆積された埃を吸引可能とした構成とする。
【００７９】
上記構成においては、埃受け部１５Ｂに堆積した埃を捨てる作業として埃受け部１５Ｂを分離することなく本体３Ａに設けたノズル２７に掃除機のパイプ（図示せず）を差し込むことで、バネにより閉鎖勝手に作用している開閉蓋が開き、埃受け部１５Ｂ内の埃を掃除機で吸引して取り除くことができ、空気清浄機自体にノズル２７に空気を送る送気手段を設ける必要がなく、また移動部品を少なくできるという空気清浄機を得ることができることとなる。
【００８０】
（実施の形態６）
図１３に示すように、メインフィルター６Ｃの端部に埃分離手段２４Ａを設け、埃分離手段２４Ａに第２の帯電手段２８を接続し、ブラシ１３Ｃを埃分離手段２４Ａに近接または当接したとき、ブラシ１３Ｃに付着した埃を分離して埃分離手段２４Ａを移し変え、さらに第２の帯電手段２８からの電荷の開放または、アースにより静電吸引力をなくして埃受け部１５Ｃに落下させる構成とする。
【００８１】
上記構成においては、ブラシ１３Ｃに付着した埃を、静電気の吸引力で分離して移動することにより、効率良く埃を、埃受け部１５Ｃに収納することができる空気清浄機を得ることができることとなる。
【００８２】
（実施の形態７）
図１４および図１５に示すように、メインフィルター６Ｄ内の上流部２９において、各集塵板間のスペーサ部を削除した平行板部３０を形成し、ブラシ１３Ｄを平行板部３０間に挿入した状態で移動可能に設けた構成とする。
【００８３】
上記構成においては、平行板部３０に埃を集中的に堆積させ、かつ平行板部３０間に深く挿入したブラシ１３Ｄが滑らかに平行板部３０に接触して埃を掻き出すことができ、効率良く埃を払い落とすことができる空気清浄機を得ることができることとなる。
【産業上の利用可能性】
【００８４】
移動可能な掃除手段を利用することにより、熱交換形換気扇に用いられる全熱交換器に付着する埃の除去の用途にも適用できる。
【図面の簡単な説明】
【００８５】
【図１】本発明の実施の形態１の空気清浄機の一部破断した斜視図
【図２】同空気清浄機の横断面図
【図３】同空気清浄機のメインフィルターの枠部分の斜視図
【図４】同空気清浄機の格子形状のフィルター部分の斜視図
【図５】同空気清浄機のロック手段の構成する側面図
【図６】同空気清浄機のプリフィルターとメインフィルターの関係を示す断面図
【図７】同空気清浄機の斜視図
【図８】本発明の実施の形態２の空気清浄機のメインフィルターの斜視図
【図９】本発明の実施の形態３の空気清浄機のメインフィルターの斜視図
【図１０】（ａ）同空気清浄機のブラシの位置が上方にある状態を示す側面図（ｂ）同空気清浄機のブラシが上方から下降したときの状態を示す側面図（ｃ）同空気清浄機のブラシが下方から上方に向うときの状態を示す側面図
【図１１】本発明の実施の形態４の空気清浄機の埃受け部の構成を示す断面図
【図１２】本発明の実機の形態５の空気清浄機の一部破断した斜視図
【図１３】本発明の実施の形態６の空気清浄機のメインフィルターの斜視図
【図１４】本発明の実施の形態７の空気清浄機のメインフィルターの構成を示す斜視図
【図１５】同空気清浄機のメインフィルターとブラシの関係を示す断面図
【図１６】従来のフィルター装置の構成を示す斜視図
【図１７】同フィルター装置のフィルター部分の構成を示す斜視図
【図１８】同他のフィルターのクリニング装置の概略を示す上面図
【図１９】同フィルターの内部構造を示す一部破断の斜視図
【符号の説明】
【００８６】
１      吸気口
２      吹出口
３      本体
４      通風路
５      プリフィルター
６      メインフィルター
６Ａ    メインフィルター
６Ｂ    メインフィルター
６Ｃ    メインフィルター
７      送風装置
８      電気式集塵フィルター
９      強電界部
１２    格子目
１３    ブラシ
１３Ａ  ブラシ
１３Ｂ  ブラシ
１３Ｃ  ブラシ
１４    掃除手段
１４Ａ  掃除手段
１５    埃受け部
１５Ａ  埃受け部
１５Ｂ  埃受け部
１６    移動手段
１７    つまみ
１８    移動ガイド部
１９    ロック手段
２２    電気ブラシ
２３    第１の帯電手段
２４    埃分離手段
２４Ａ  埃分離手段
２５    外部埃受け部
２６    内部埃受け部
２７    ノズル
２８    第２の帯電手段
２９    上流部
３０    平行板部
【図１】
2007167777.tif 000003
【図２】
2007167777.tif 000004
【図３】
2007167777.tif 000005
【図４】
2007167777.tif 000006
【図５】
2007167777.tif 000007
【図６】
2007167777.tif 000008
【図７】
2007167777.tif 000009
【図８】
2007167777.tif 000010
【図９】
2007167777.tif 000011
【図１０】
2007167777.tif 000012
【図１１】
2007167777.tif 000013
【図１２】
2007167777.tif 000014
【図１３】
2007167777.tif 000015
【図１４】
2007167777.tif 000016
【図１５】
2007167777.tif 000017
【図１６】
2007167777.tif 000018
【図１７】
2007167777.tif 000019
【図１８】
2007167777.tif 000020
【図１９】
2007167777.tif 000021